(57)【特許請求の範囲】
【請求項１】
基端側に、薬液を導入するための接続ナット（１１）が装設され、先端側には、延長パイプ（２）にスライド自在に嵌挿せしめた中子（５）の外周側をスライド自在に嵌合せしめる筒状のスライドロック金具（６）が装設されるメインパイプ（１）を、金属材の成形により形成して、該メインパイプ（１）の先端側に装設するスライドロック（６）を、該メインパイプ（１）に一体に連続させて装設し、
その筒状のスライドロック金具（６）には、後端側に位置する底部に、収容する前記中子（５）の後端面に形成される平盤状の受圧面（ｚ）に衝合して前記中子（５）の後方移動を阻止する段部（６０）を形設し、かつ、外周面には、雄ネジ（６ａ）を形設し、
このメインパイプ（１）内に出入自在に嵌挿せしめる前記延長パイプ（２）は、金属材の成形により形成して、該延長パイプ（２）の後端側に、外径を該延長パイプ（２）より大径としたスリーブ（２０）を、一体に連続させて装設し、
前記中子（５）は、弾性を具備する合成樹脂材により、前端側には軸方向に沿う切れ目（５０）を有するコーン状の締着筒部（５ａ）を設け、後端側には、前記締着筒部（５ａ）より大径の嵌合筒部（５ｂ）を設けた軸筒状に成形して、その嵌合筒部（５ｂ）をメインパイプ（１）の先端側のスライドロック金具（６）内にスライド可能に嵌挿せしめ、
この中子（５）及びスライドロック金具（６）の外周に、前端側には前記中子（５）のコーン状の締着筒部（５ａ）が嵌入する嵌合穴部（７０）を備え、内周側には前記スライドロック金具（６）の外周の雄ネジ（６ａ）に螺合する雌ネジ（７ａ）を備えるキャップ状のスライドロック部材（７）を被せ、
該スライドロック部材（７）のねじ込み回動により中子（５）を後方に押し込む作動で、中子（５）の受圧面（ｚ）をスライドロック金具（６）の段部（６０）に衝合させ、
この状態において、スライドロック部材（７）を止めネジ（８）によりスライドロック金具（６）に固定して、中子（５）をスライドロック金具（６）内に固定し、この状態での手元のコック操作により導入する薬液の圧力による中子（５）の前方への押し出しにより、締着筒部（５ａ）を嵌合穴部（７０）内に押し込み締着筒部（５ａ）に締着作動を行わせ、伸縮部を固定するようにした
ことを特徴とする噴霧機の噴霧管における伸縮部の固定方法。
【請求項２】
金属材の成形により形成したメインパイプ（１）の先端側にスライドロック金具（６）を、該メインパイプ（１）に一体に連続させて装設し、
その筒状のスライドロック金具（６）の、後端側に位置する底部には、前後方向にスライド可能に収容せしめる前記中子（５）の後端面に形成される平盤状の受圧面（ｚ）に衝合してその中子（５）の後方移動を阻止する段部（６０）を形設するとともに、外周面には、雄ネジ（６ａ）を形設し、
該中子（５）を前後方向にスライド可能に装架してメインパイプ（１）内に出入自在に嵌挿せしめる前記延長パイプ（２）は、金属材の成形により形成し、該延長パイプ（２）の後端側に、外径を前記延長パイプ（２）より大径としたスリーブ（２０）を、一体に連続させて装設し、
前記中子（５）は、弾性を具備する合成樹脂材により、前端側には軸方向に沿う切れ目（５０）を有するコーン状の締着筒部（５ａ）を備え、後端側には、前記締着筒部（５ａ）より大径の嵌合筒部（５ｂ）を設けた軸筒状に成形し、
その嵌合筒部（５ｂ）をメインパイプ（１）の先端側のスライドロック金具（６）内にスライド可能に嵌挿せしめ、
この中子（５）及びスライドロック金具（６）の外周には、前端側に中子（５）のコーン状の嵌合穴部（７０）を備え、内側に前記スライドロック金具（６）の外周の雄ネジ（６ａ）に螺合する雌ネジ（７ａ）を備えるキャップ状のスライドロック部材（７）を被せ、
そのスライドロック部材（７）のねじ込み回動による中子（５）の後方移動により、中子（５）の受圧面（ｚ）をスライドロック金具（６）の段部（６０）に衝合させ、この状態において、スライドロック部材（７）を止めネジ（８）によりスライドロック金具（６）に固定して、中子（５）をスライドロック金具（６）内に固定し、
この状態での手元のコック操作により導入する薬液の圧力での中子（５）の前方への押し出しにより、締着筒部（５ａ）を嵌合穴部（７０）内に押し込み、締着筒部（５ａ）に締着作動を行わせ、伸縮部を固定するようにした
ことを特徴とする噴霧機の噴霧管における伸縮部の固定装置。
【発明の詳細な説明】
【技術分野】
【０００１】
本発明は、殺虫剤・除草剤等の薬剤を、タンク内で加圧して、噴霧管に導き、その噴霧管の先端に設けたノズルから噴霧する噴霧機において、噴霧管に設けた伸縮部を固定する固定手段についての改良に関する。
【背景技術】
【０００２】
噴霧機における噴霧管ａは、先端に設けた噴頭ｂから噴出させる殺虫剤・除草剤等の農薬の液剤の、到達距離を伸ばすため、通常、図１にあるように、手元側に設けた把持部ｃから突出するメインパイプ１の先端側に、外径がそのメインパイプ１の内径より小径の延長パイプ２を、出入自在に嵌挿して重合せしめて継ぎ足し延長し、この延長パイプ２の先端側に噴頭ｂを設けるようにして、この延長パイプ２のメインパイプ１に対する出入作動で、手元の把持部ｃから、継ぎ足した延長パイプ２の先端の噴頭ｂに至るまでとなる噴霧管ａの長さが変えられるようにし、かつ、その長さの伸縮部となるメインパイプ１の先端部分には、重合するメインパイプ１と延長パイプ２とを緊縛して固定する固定手段ｄを設けて、伸縮部を固定するように構成している。
【０００３】
そして、その固定手段ｄは、図２にあるように、弾性を有する合成樹脂材により、前半側が軸方向に沿う切れ目３０を具備する先細りのコーン状の締着筒部３ａで、後半側が、前記締着筒部３ａより小径の嵌合筒部３ｂとなる形状に成形されている中子３と、この中子３がスライド可能に嵌合する延長パイプ２と、延長パイプ２に嵌挿した前記中子３の後半側の嵌合筒部３ｂを受け入れ収容して、中子３を後方に移動しないよう支承するメインパイプ１の先端部に設けたねじ筒部１０と、このねじ筒部１０に嵌合筒部３ｂが嵌合して支承されている中子３に対し、外側から被い込んで締め付けるよう袋ナット状に形成して、前記メインパイプ１の先端のねじ筒部１０の外周側に螺合する締付ナット４と、で構成され、図２に示す状態から、締付ナット４を締め込む方向に回転させると、ねじ筒部１０の外面側の雄ネジ１０ａと締付ナット４の内周側の雌ネジ４ａとの螺合により、締付ナット４が後方（図において右方）に動いて、該締付ナット４の先端側の内面に形成してある傾斜面４０が、中子３のコーン状の締着筒部３ａの外周面に接して、その締着筒部３ａを、絞り込むように径方向に押圧しながら後方に向け押圧していき、これにより、中子３の締着筒部３ａの、切れ目３０により分割されている締着片３１の内面を、強力に延長パイプ２の周面に締着させ、延長パイプ２を中子３により緊縛し、延長パイプ２を緊縛位置に固定する。また、締付ナット４を緩め方向に回転させると、締付ナット４が前方に動いて、傾斜面４０が中子３のコーン状の締着筒部３ａの周面から後退していくようになることで、締め付けが緩み、締着筒部３ａの延長パイプ２に対する締着を解放する、という技術内容のものである。
【０００４】
このように、外圧を受けることにより内径が縮小する弾性資材よりなる軸方向の切れ目を有するコーン状の締着筒部３ａを備える中子３を、締付ナット４により締め付けることで、噴霧管ａの突出長さを調節した状態に固定する固定手段ｄには、次に記載する問題がある。
【０００５】
その第１は、噴霧管ａの長さの調節操作が、噴霧管ａを、締付ナット４が装設してある部位まで手元にたぐり寄せて、その締付ナット４を回して締め付けを緩めてから、メインパイプ１と延長パイプ２とを握って、延長パイプ２をメインパイプ１に対し出入させて、所望の長さに調節し、その後に再び締付ナット４を回動させる操作を行って締め付けることで行われることから、噴霧管ａの長さ調節に手間と時間がかかることである。
【０００６】
第２には、液剤の噴霧作業中に、液剤に付加した圧力で、延長パイプ２が、締着している中子３から抜け出て、矢のように飛び出す場合があり、飛び出した延長パイプが作業者に当たることで傷害事故を起こす危険のおそれがあることである。
【０００７】
噴霧機による液剤の噴霧作業は、通常、薬液に２０〜３５ｋｇ／ｃｍ２の高圧の圧力をかけて行うので、締付ナット４による中子３の締め付けが充分であっても、液圧により、延長パイプ２が中子３から抜け出て飛び出す現象は生じてくる。
【発明の概要】
【発明が解決しようとする課題】
【０００８】
本発明において解決しようとする課題は、噴霧作業中に、噴霧管の先端のノズルから噴出させる液剤の到達距離を伸ばすために行う噴霧管を伸長する作業が、締付ナットの回動操作を行うことなく、メインパイプに対し延長パイプを引き出すだけで行え、かつ、高圧で液剤を噴霧管に送給しても、延長パイプが中子から抜け出て飛び出すことのないようにする固定手段を構成する点にある。
【課題を解決するための手段】
【０００９】
本発明においては、上述の課題を解決するための手段として、基端側に、薬液を導入するための接続ナット１１が装設され、先端側には、延長パイプ２にスライド自在に嵌挿せしめた中子５の外周側をスライド自在に嵌合せしめる筒状のスライドロック金具６が装設されるメインパイプ１を、金属材の成形により形成して、該メインパイプ１の先端側に装設するスライドロック６を、該メインパイプ１に一体に連続させて装設し、その筒状のスライドロック金具６には、後端側に位置する底部に、収容する前記中子５の後端面に形成される平盤状の受圧面ｚに衝合して前記中子５の後方移動を阻止する段部６０を形設し、かつ、外周面には、雄ネジ６ａを形設し、このメインパイプ１内に出入自在に嵌挿せしめる前記延長パイプ２は、金属材の成形により形成して、該延長パイプ２の後端側に、外径を該延長パイプ２より大径としたスリーブ２０を、一体に連続させて装設し、前記中子５は、弾性を具備する合成樹脂材により、前端側には軸方向に沿う切れ目５０を有するコーン状の締着筒部５ａを設け、後端側には、前記締着筒部５ａより大径の嵌合筒部５ｂを設けた軸筒状に成形して、その嵌合筒部５ｂをメインパイプ１の先端側のスライドロック金具６内にスライド可能に嵌挿せしめ、この中子５及びスライドロック金具６の外周に、前端側には前記中子５のコーン状の締着筒部５ａが嵌入する嵌合穴部７０を備え、内周側には前記スライドロック金具６の外周の雄ネジ６ａに螺合する雌ネジ７ａを備えるキャップ状のスライドロック部材７を被せ、該スライドロック部材７のねじ込み回動により中子５を後方に押し込む作動で、中子５の受圧面ｚをスライドロック金具６の段部６０に衝合させ、この状態において、スライドロック部材７を止めネジ８によりスライドロック金具６に固定して、中子５をスライドロック金具６内に固定し、この状態での手元のコック操作により導入する薬液の圧力による中子５の前方への押し出しにより、締着筒部５ａを嵌合穴部７０内に押し込み締着筒部５ａに締着作動を行わせ、伸縮部を固定するようにしたことを特徴とする噴霧機の噴霧管における伸縮部の固定方法を提起するものである。
また、併せて、金属材の成形により形成したメインパイプ１の先端側にスライドロック金具６を、該メインパイプ１に一体に連続させて装設し、その筒状のスライドロック金具６の、後端側に位置する底部には、前後方向にスライド可能に収容せしめる前記中子５の後端面に形成される平盤状の受圧面ｚに衝合してその中子５の後方移動を阻止する段部６０を形設するとともに、外周面には、雄ネジ６ａを形設し、該中子５を前後方向にスライド可能に装架してメインパイプ１内に出入自在に嵌挿せしめる前記延長パイプ２は、金属材の成形により形成し、該延長パイプ２の後端側に、外径を前記延長パイプ２より大径としたスリーブ２０を、一体に連続させて装設し、前記中子５は、弾性を具備する合成樹脂材により、前端側には軸方向に沿う切れ目５０を有するコーン状の締着筒部５ａを備え、後端側には、前記締着筒部５ａより大径の嵌合筒部５ｂを設けた軸筒状に成形し、その嵌合筒部５ｂをメインパイプ１の先端側のスライドロック金具６内にスライド可能に嵌挿せしめ、この中子５及びスライドロック金具６の外周には、前端側に中子５のコーン状の嵌合穴部７０を備え、内側に前記スライドロック金具６の外周の雄ネジ６ａに螺合する雌ネジ７ａを備えるキャップ状のスライドロック部材７を被せ、そのスライドロック部材７のねじ込み回動による中子５の後方移動により、中子５の受圧面ｚをスライドロック金具６の段部６０に衝合させ、この状態において、スライドロック部材７を止めネジ８によりスライドロック金具６に固定して、中子５をスライドロック金具６内に固定し、この状態での手元のコック操作により導入する薬液の圧力での中子５の前方への押し出しにより、締着筒部５ａを嵌合穴部７０内に押し込み、締着筒部５ａに締着作動を行わせ、伸縮部を固定するようにしたことを特徴とする噴霧機の噴霧管における伸縮部の固定装置を提起するものである。
【発明の効果】
【００１０】
本発明手段は、延長パイプ２に嵌挿した中子５の前端側に、具備せしめた軸方向の切れ目のあるコーン状の締着筒部５ａを外側から締め付けて延長パイプの外周に締着させる役割を果たす、従前手段における締付ナットに対応するスライドロック部材７は、メインパイプ１に固定して設けておき、中子５を、噴霧管ａ内に高圧で供給される薬液の液圧によって押し出すことで、該中子の前端側の締着筒部５ａをスライドロック部材７に設けたコーン状の嵌合穴部７０に押し込んで、締着作動を行わすようにしているのだから、噴霧管ａの手元のコックを操作するなどで噴霧管ａに対する薬液の供給を停めれば、中子５を押し出す薬液の圧力が消失ないし低下して、締着作動が緩み、延長パイプ２の出し入れが可能となり、手元のコックを開いて薬液を供給すれば、締着作動が自動的に行われて、延長パイプ２の出入作動をロックするようになるので、延長パイプ２の長さの調節が、短い時間で簡単に行えるようになる。また、噴霧作業中に噴霧管ａ内に供給する薬液の圧力が、不測の高圧に上昇しても、締め付けが一層強固になるだけで、締着が破れることがないので、延長パイプ２の飛び出しを確実に抑止し得るようになる。
【図面の簡単な説明】
【００１１】
【図１】従前の噴霧管の一部破断した側面図である。
【図２】同上噴霧管の伸縮部の縦断側面図である。
【図３】本発明手段を実施せる噴霧管の側面図である。
【図４】同上噴霧管の各構成部材の縦断側面図である。
【図５】同上噴霧管の構成部材のうちの、部材中子を部材延長パイプに嵌挿した状態における側面図である。
【図６】同上噴霧管の、同上構成部材で組み立てた状態の縦断側面図である。
【図７】同上噴霧管の部材中子が、噴霧管に供給された液剤の圧力で押し出されて締着作動を行った状態時の縦断側面図である。
【発明を実施するための形態】
【００１２】
次に本発明の実施の態様を、実施例につき図面に従い詳述する。
【実施例１】
【００１３】
図３乃至図６は、本発明を実施せる噴霧管の伸縮部の固定手段を示し、図３は全体の側面図、図４は同上噴霧管の固定手段を構成する各部材の縦断側面図、図５は各部材のうちの中子の側面図、図６は各部材を組み立てた状態の縦断側面図、図７は中子が液圧で押されて緊締状態となった状態時の縦断側面図である。
【００１４】
図において、１はメインパイプ、２は延長パイプ、５は合成樹脂材で成形して延長パイプ２の外周にスライド可能に嵌合した中子、６は前記中子５を収容するとともにその中子５の後方（基端側に向かう方向）への移動を阻止するようメインパイプ１の先端部に設けたスライドロック金具、７は、前記中子５の外周面を押圧して内周面が延長パイプ２の外周面に締着さすよう中子５の外周側に被嵌したスライドロック部材、ｚは、中子５に締着作動を行わす水圧を受けるよう該中子５に形成した受圧面である。
【００１５】
メインパイプ１は、金属材よりなる通常のパイプで、基端側には、接続ナット１１が装設してあり、先端側には、前記中子５を前方へのスライド移動が可能に収容するスライドロック金具６が装設してある。接続ナット１１及びスライドロック金具６は、図６・図７においては、メインパイプ１に一体に連続するように装設しているが、図４にあるように、メインパイプ１とは別体に形成して、螺合、または圧入により一体的に連結させた状態として装設する場合がある。
【００１６】
延長パイプ２は、金属パイプで形成して、先端部に、噴頭ｂを装設し、基端側をメインパイプ１に対し出入自在に嵌挿し、それの引き出し長さにより、該延長パイプ２とメインパイプ１とで構成する噴霧管ａの長さを調節する通常のものであるが、その外径は、メインパイプ１内に挿し込んだ状態において、そのメインパイプ１の内周面と該延長パイプ２の外周面との間に液剤の流路ｕとなる間隔が形成されるよう設定してある。また、後端側には、該延長パイプ２より大径としたスリーブ２０が装設してある。
【００１７】
この延長パイプ２の後端側に装設するスリーブ２０及び先端側に装設する噴頭ｂの取付ねじ部２１も、図６・図７の例においては、延長パイプ２を形成する金属パイプの素材により、延長パイプ２と一体に成形しているが、図４に示している例の如く、延長パイプ２とは別体に成形して、螺合または圧入嵌合により延長パイプ２の後端側及び先端部に装設する場合がある。
【００１８】
中子５は、合成樹脂材により、前端側に、軸方向に沿う切れ目５０を具備する先細りのコーン状の締着筒部５ａを設け後端側に、前記締着筒部５ａより大径の嵌合筒部５ｂを設けた軸筒状に成形してあって、内側の軸穴により延長パイプ２の外周にスライド自在に嵌合し、かつ、嵌合筒部５ａの外周面によりメインパイプ１の先端部に設けた前記スライドロック金具６の内側にスライド可能に嵌合している。この中子５のスライドロック金具６に対する後方へのスライド移動は、中子５の後端部が、スライドロック金具６の底に設けた段部６０に衝合することで阻止されるようにしてある。また、中子５の基端側の嵌合筒部５ｂの外周面には、嵌合するスライドロック金具６の内周面との間を水密に保持するＯリング５１が装着してあり、内周面には、嵌合する延長パイプ２の外周面との間を水密に保持するＯリング５２が装着してある。
【００１９】
スライドロック部材７は、前記中子５の前端側のコーン状の締着筒部５ａに、軸芯に向かう径方向の外圧を与えることで軸方向の切れ目５０により周方向に分割されているこのコーン状の締着筒部５ａを窄めて縮径させ、延長パイプ２の周面に締着させるためのもので、全体が、前記スライドロック金具６及びこれに嵌合した中子５を覆い込むキャップ状に形成され、前端側には、前記中子５の前端側に形設したコーン状の締着筒部５ａが嵌入していくコーン状の嵌合穴部７０を備えている。そして、図６及び図７に示すよう、嵌合穴部７０に中子５のコーン状の締着筒部５ａを嵌入させた状態としてスライドロック金具６の外周に被さる部分の内周側には、スライドロック金具６の外周面に設けた雄ネジ６ａに螺合する雌ネジ７ａが設けてあり、このスライドロック部材７を回転させてねじ込むことで、嵌合穴部７０に嵌入するコーン状の締着筒部５ａを後方に押し出して中子５全体を後方に押し込むようにしてある。そして、このスライドロック部材７は、上述のねじ込み回動により、中子５をスライドロック金具６の底の段部６０に押し付けた状態において、止めネジ８によりスライドロック金具６に固定させている。
【００２０】
受圧面ｚは、上述したように、スライドロック金具６の内側に嵌合筒部５ｂをスライド自在に嵌合させている中子５を、噴霧する薬液の液圧により前方に押し出して、前端側のコーン状の締着筒部５ａを、スライドロック部材７に設けた嵌合穴部７０内に押し込み、中子５に延長パイプ２に対する締着作動を行わすために、中子５の後端部に設けられた液圧を受ける受圧面で、この例においては、中子５の後端側を、平盤状に形成することで、延長パイプ２の外周面とメインパイプ１の内周面との間に形成される流路ｕに流れる薬液の圧力を受けるように形成している。
【００２１】
この実施例の噴霧管の固定手段は、上述した各部材を図５の如く組み立てて構成した状態においては、中子５の延長パイプ２に対する締着作動は行われていない。締着作動を行うコーン状の締着筒部５ａは、スライドロック部材７を組み付けるときのねじ込みの際に、嵌合穴部７０に嵌合した状態で、中子５全体と一緒に後方に押し込まれ、中子５の後端がスライドロック金具６の底に当接した状態時以後の押し込みによる軸方向の圧力を受けるだけで、径方向に絞り込む圧力は殆ど受けていないからである。このことから、図５の状態にあるときは、延長パイプ２は、それの突出長さの調節が自由に行える。
【００２２】
そして、伸縮の調節を行った後に手元のコックを開いて、高圧に加圧されている薬液を供給すると、流路ｕを経て中子５の受圧面ｚに伝わる高圧の液圧により、中子５が前方に押し出されることで、前端のコーン状の締着筒部５ａはスライドロック部材７の嵌合穴部７０内に圧入していき、嵌合穴部７０の傾斜する内壁面により径方向に強力に絞り込まれて、延長パイプ２の周面に締着していく。これにより、延長パイプ２は、メインパイプ１に対するスライドロックされて調節した長さに固定される。
【００２３】
このように、本発明手段は、中子５の前端側に設けた外周面がコーン状の締着筒部５ａを、内壁面がコーン状の嵌合穴部７０内に押し込むことで、コーン状の締着筒部５ａを径方向に窄めて縮径させて、延長パイプ２の外周面に締着させ、延長パイプ２の中子５に対するスライドをロックする締着作動を行わす際、その締着作動を、噴霧管ａに供給する薬液の液圧により中子５を押し出すことで行わせていることから、薬液を加圧する圧力が高圧になればなるほど、締着力が強力になるので、高圧で薬液を供給したときに、延長パイプ２が圧力で飛び出すことがなくなる。
【００２４】
また、薬液の供給を手元のコックで停止すれば、噴霧管ａ内の薬液の残圧で薬液が先端の噴頭から噴出することで中子５にかかる液圧が低下して締着力が低下してくるので、延長パイプ２の長さ調節が自在に行えるようになる。そして、調節後に手元のコックの操作で薬液を供給すれば、その薬液の圧力で、再び締着作動が行われ伸縮部が固定されるようになる。このことから、手元のコックを閉めて、薬液の供給を停止させることで、延長パイプ２の長さ調節が自由に行え、調節後に、手元コックを開いて薬液を供給することで、自動的に伸縮部が固定されることになって、長さ調節の操作が簡易に、かつ、短時間で行えるようになる。また、延長パイプ２の後端側に、実施例の如く、延長パイプ２より大径のスリーブ２０を装備せしめておいたときは、薬圧が想定外の高圧となったときにも、延長パイプ２の飛び出しを、中子５及びスライドロック部材７で阻止し得るようになる。
【符号の説明】
【００２５】
ａ    噴霧管
ｂ    噴頭
ｃ    把持部
ｄ    固定手段
ｕ    流路
ｚ    受圧面
１    メインパイプ
１０    ねじ筒部
１０ａ  雄ネジ
１１    接続ナット
２    延長パイプ
２０    スリーブ
２１    取付ねじ部
３    中子
３ａ  締着筒部
３ｂ  嵌合筒部
３０    切れ目
３１    締着片
４    締付ナット
４ａ  雌ネジ
４０    傾斜面
５    中子
５ａ  締着筒部
５ｂ  嵌合筒部
５０    切れ目
５１  ５２  Ｏリング
６    スライドロック金具
６ａ  雄ネジ
６０    段部
７    スライドロック部材
７ａ  雌ネジ
７０    嵌合穴部
８    止めネジ
【図１】
0005562907.tif 000002
【図２】
0005562907.tif 000003
【図３】
0005562907.tif 000004
【図４】
0005562907.tif 000005
【図５】
0005562907.tif 000006
【図６】
0005562907.tif 000007
【図７】
0005562907.tif 000008